(57)【要約】【課題】解決しようとする課題は、土地など担保なしで銀行から融資を受けることができる。且つ銀行はリスクが生じないファイナンス方式をＩＴで行う。【解決手段】客先からの注文書を銀行に提示し、銀行はこれに基き融資し、その口座に客先からの金額を入れ、仕入先への支払いや経費をその口座から支払い複数の独立した口座を設けその口座内で収入支出を完成させることをＩＴを使用して行なうビジネスシステム。これにより、担保のない中小企業でも銀行からの融資が可能となる。【選択図】　　　　図２
2004126661.tif 000002
【特許請求の範囲】
【請求項１】
販売先からの注文書を融資を依頼する銀行に見せ、融資をしてもらい、その銀行の預金口座のみに融資により仕入れしたものの販売先からの売上の金額を入金し、その預金口座から仕入代金や経費を支払い、入金額は会社の口銭を含んでいるので常に入金額が支払額よりも大きく、以下前記と同様に繰返し、注文書と入金合計額の範囲内でその銀行から次の融資を受け個々の口座を独立して収入支出を完成させ、取引に応じ複数個の口座を並立させ、之等のプロセスをＩＴを使用し、担保なしで銀行から融資を受けることができることを特徴とするファイナンスビジネスシステム。
【発明の詳細な説明】
【０００１】
【発明が属する技術分野】
本発明は、担保がなくてファイナンスを行うビジネスモデル特許。
【０００２】
【従来の技術】
従来会社がビジネスを行うため銀行から融資を受ける場合、土地など担保が必要であり、担保がない中小企業では資金繰りが出来なかった。又、銀行は前記会社が返金できるかどうかわからないので、不良債権のリスクを背負わねばならなかった。
【０００３】
【発明が解決しようとする課題】
本発明が解決しようとする課題は、土地などの担保なしで銀行から融資を受けることができ、又銀行の不良債権のリスクを無くそうという課題である。
【０００４】
【課題を解決するための手段】
本発明の手段は、販売先からの注文書を融資を依頼する銀行に見せ、融資してもらい、その銀行の預金口座のみに融資により仕入れしたものの販売先からの売上の金額を入金し、その中から仕入先へ支払い、入金額は会社の口銭を含んでいるので常に入金額が支払額よりも大きく、以下前記と同様に繰返し、注文書と、入金合計額の範囲内でその銀行から次の融資を受け、之等のプロセスはＩＴなどを使用する。
【０００５】
【実施例】
一口に資金繰りといっても、これはたいへんなことで、経営不振の会社はもちろんのこと、急激に成長する会社でも、経営者なら誰でも頭を痛めている問題である。資金繰りの絶対的方法が発明されたら、どんな会社も倒産しなくて済む。倒産どころか、無尽蔵に資金繰りができたら、ぐんぐん会社を発展させることができる。
本発明により、銀行はリスクを背負わなくてすむし、会社の預金量も自動的にふえ、それだけファイナンスもスムーズにいくのである。
本発明によって、担保がなくてもお金を借りることができる。
この「担保がなくても」というところがひじょうに重要なところなのであある。
銀行にお金を借りにいくと、小さな企業はたとえ業績がよくても、無担保で借りられる金額は、せいぜい５００万円くらいまでであある。
ところが、銀行に融資をしてもらいたいときは、不動産などの担保がないか、あってもすでにほかの抵当権を設定してしまっているかの場合が多い。
早い話が、困っているから借金の申込みに行くのである。
図１は、本発明のフローチャートである。会社（当社）１は客先２に売込みを行い、客先２から会社１に注文が入り、注文書５はｅ−メールやファックスなどで会社１が受け取る。次に会社１は客先２からの注文書５を銀行３にｅ−メールやファックス又は直接見せ、この注文書５による客先２からの入金９は全部銀行３の特定支店にすべてＩＴ　などで入金する。この方式により銀行３から融資を受け、仕入先４との取決めの支払い猶予期限内に仕入先４に支払うという発注書７を仕入先４にｅ−メールやファックスなどで送り仕入先４は会社１に品物６を発送しこれを会社１は客先２に納入し、客先２は会社１の銀行口座８に支払い９をする。仕入先４の支払いと客先２からの入金額との差は銀行３の預金８に残る。仕入先４への支払いは仕入先４のユーザンス期間内に支払う。このように会社１は担保などのリスクなしで銀行３から融資を受けられビジネスが出来る。又、５，６，７，８，１０、１１など相互間のやりとりはインターネット等の通信機器により行う。尚、会社１がメーカーで仕入がない場合は、仕入先４を会社１は一体化し、上記と同様に行うが、メーカーで、下請先や資材、部品発注があるから前記の如く行う。上記は一銀行に対するフローチャートである。
【０００６】
図２は本発明の複数銀行を使用した原理を時間、注文、金額からなる立体グラフにしたもので、本発明においては、各取引先又は商社により異なる銀行及び預金口座を設ける。例えば会社１から客先２にＸ商品、Ｙ商品、Ｚ商品を次々に納入したとする。客先からきた代金はすべて銀行３のＡ銀行Ａ店へ振り込まれる。従って、銀行３のＡ銀行Ａ店には会社１への入金がどんどん増えることになる。そして、次の注文書及び、その入金合計額の範囲内で、銀行３のＡ銀行Ａ店から次の融資を受けることが出来る。同様に客先５社から受注した場合銀行３´のＢ銀行Ｂ店、Ｃ銀行Ｃ店と同様に行いファイナンスの輪を広げていくことができる。斜線９の部分は銀行３がリスクなく会社１の預金が自動的にたまる預金を示す。
図３は本発明の他の実施例で、
（１）資金の流れをすべて指定銀行指定支店を通す。
（２）ビジネスのスタートを頂点とし、入金を底辺とする三角形内で資金が処理される。
（３）従って、銀行には確実に入金する上、資金はいつも三角形内、即ち、回収以内に止るので、銀行のリスクは全くない。
（４）のみならす、三角形の底辺が一番大きいので、必ず銀行に預金が残る。
（５）三角形の頂点は外国為替業務のスタートともなるので、銀行は、外為の仕事を得る事が出来る。
（６）銀行は、これに伴う手形割りや、金利で稼ぐことが出来る。
（７）シッパーズ・ユーザンスがあれば銀行は更に利益が上がる。
（８）企業側は、いつでも、いくらでも資金繰りが担保なしででき、ビジネスが拡張しても資金繰りに困らず、金利や諸掛も最低の出費ですむ。
【０００７】
本発明の実施例に限ることなく、変形はすべて本発明に含まれるものである。
【０００８】
【発明の効果】
以上説明したように本発明のファイナンスの方法により、会社は土地などの担保が不要で融資が得られ、銀行はリスクを背負わなくても済み、会社の預金量も自動的に増え、ファイナンスもスムーズにいく画期的発明であり、特に，目下の不況を克服し、産業界も活性化するもので、我国にとって極めて重要なビジネスモデル特許である。
【図面の簡単な説明】
【図１】本発明フローチャート図
【図２】複数個の銀行を使用する本発明実施の銀行口座別、融資
及び預金量、時間の３次元図
【図３】本発明の他の実施例
【符号の説明】
１　　会社（当社）
２　　客先
３　　銀行
４　　仕入先
５　　客先からの注文書
６　　品物の流れ
７　　会社（当社）１からの仕入先４への発注書
８　　　会社１の銀行３の預金口座
９　　　客先２から会社１の口座１２への支払い
１０　　会社１から仕入先４への支払い
１１　　銀行３から会社１への融資
【図１】
2004126661.tif 000003
【図２】
2004126661.tif 000004
【図３】
2004126661.tif 000005